(57)【要約】【課題】各種電子機器に使用されるばねユニット及びこれを用いた開閉装置に関し、所望の操作力が得易く、確実な開閉操作が可能なものを提供することを目的とする。【解決手段】固定部材１１上面に所定方向へ摺動可能に載置された可動部材１２と固定部材１１の両側方に、可動部材１２を所定方向へ付勢する複数のコイルばね１３を、対称に装着してばねユニット１４を構成すると共に、このばねユニット１４両端の係止孔部１１Ｅと１２Ｅを、固定体１５と可動体１６の間に装着して開閉装置１７を構成することによって、所望の操作力が得易く、確実な開閉操作が可能なばねユニット及びこれを用いた開閉装置を得ることができる。【選択図】図１
2008014408.tif 000002
【特許請求の範囲】
【請求項１】
固定部材と、この固定部材上面に所定方向へ摺動可能に載置された可動部材と、上記固定部材と上記可動部材の間に装着され、上記可動部材を所定方向へ付勢するコイルばねからなり、複数の上記コイルばねを上記固定部材と上記可動部材の両側方に対称に装着したばねユニット。
【請求項２】
固定部材または可動部材の少なくとも一方の摺動面に、凹部または凸部を形成した請求項１記載のばねユニット。
【請求項３】
略板状の固定体と、この固定体上面に所定方向へ移動可能に装着された可動体の間に、請求項１記載のばねユニットの、固定部材と可動部材端部の係止部を装着した開閉装置。
【発明の詳細な説明】
【技術分野】
【０００１】
本発明は、携帯電話やパーソナルコンピュータ等の各種電子機器に使用されるばねユニット、及びこれを用いた開閉装置に関するものである。
【背景技術】
【０００２】
近年、携帯電話やパーソナルコンピュータ等の電子機器の多様化や高機能化が進むなか、固定筐体に対し可動筐体を開閉させて、様々な操作を行うものが増えており、これらに用いられる開閉装置においても、良好な感触で確実な操作が可能なものが求められている。
【０００３】
このような従来の開閉装置を用いた電子機器について、主に携帯電話を例に、図５及び図６を用いて説明する。
【０００４】
図６は従来の開閉装置の分解斜視図であり、同図において、１は両側端が折曲された略板状の固定体、２は同じく可動体で、可動体２が固定体１上面に左右方向へ移動可能に装着されている。
【０００５】
また、３は線状のばねで、中間には螺旋状に巻回された複数の巻回部３Ａが重ねて形成されると共に、この巻回部３Ａ両端からは上アーム部３Ｂと下アーム部３Ｃが延出している。
【０００６】
さらに、４Ａと４Ｂはかしめ等によって可動体２と固定体１に固着された複数のピンで、対称に配置されやや撓んだ状態の一対のばね３が、このピン４Ａと４Ｂによって上アーム部３Ｂと下アーム部３Ｃ先端を各々係止され、固定体１に対して可動体２を左または右方向へ付勢して、開閉装置５が構成されている。
【０００７】
そして、このように構成された開閉装置５は、例えば、図５の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置５によって固定筐体２２に対して可動筐体２３が左右方向へ移動可能に保持されて電子機器が構成される。
【０００８】
以上の構成において、図６に示すように、一対のばね３によって固定体１に対して可動体２が右方向へ付勢された状態では、可動体２が装着された可動筐体２３が固定筐体２２に対して右方向へ付勢され、可動筐体２３が固定筐体２２上に重なった状態、即ち閉じた状態で保持されている。
【０００９】
そして、この閉状態から、可動筐体２３を手で左方向へ摺動すると、この操作に伴って可動筐体２３に装着された可動体２が左方向へ移動して、一対のばね３がさらに撓められ、ピン４Ａによって可動体２に係止された上アーム部３Ｂ先端が、ピン４Ｂによって固定体１に係止された下アーム部３Ｃ先端を超える位置になると、一対のばね３の荷重が反転して可動体２が左方向へ付勢され、音声入力部２２Ｂや音声出力部２３Ｂが露出し通話等が可能な、可動筐体２３が開いた状態で保持される。
【００１０】
つまり、可動筐体２３に装着された可動体２を手で左または右方向へ移動させ、ばね３の力によって可動体２を左または右方向へ付勢することで、固定筐体２２に対する可動筐体２３の開閉操作が行われるように構成されているものであった。
【００１１】
なお、この出願の発明に関連する先行技術文献情報としては、例えば、特許文献１が知られている。
【特許文献１】特開２００６−６６５２６号公報
【発明の開示】
【発明が解決しようとする課題】
【００１２】
しかしながら、上記従来の開閉装置においては、開閉操作を可動体２と固定体１に両端が係止された、ばね３の反転力によって行っているため、例えば操作力を大きくしようとした場合、ばね３の線径や形状を変えることである程度は可能であるが、開閉操作に耐える充分な許容応力を満足しつつ、ばね３の荷重を大きくすることには限界があるため、所望の操作力を得ることが困難であるという課題があった。
【００１３】
本発明は、このような従来の課題を解決するものであり、所望の操作力が得易く、確実な開閉操作が可能な開閉装置を提供することを目的とする。
【課題を解決するための手段】
【００１４】
上記目的を達成するために本発明は、以下の構成を有するものである。
【００１５】
本発明の請求項１に記載の発明は、固定部材上面に所定方向へ摺動可能に可動部材を載置すると共に、この固定部材と可動部材の両側方に、可動部材を所定方向へ付勢する複数のコイルばねを対称に装着してばねユニットを構成したものであり、線径や巻数、形状等によって比較的ばね荷重を変化させ易いコイルばねを用いると共に、固定部材と可動部材の両側方に対称に複数のコイルばねを装着することによって、所望の操作力が得易く、開閉装置の確実な開閉操作を行うことが可能なばねユニットを得ることができるという作用を有する。
【００１６】
請求項２に記載の発明は、請求項１記載の発明において、固定部材または可動部材の少なくとも一方の摺動面に、凹部または凸部を形成したものであり、凹部または凸部によって、固定部材と可動部材間の摺動面積を少なくすることができるため、引掛り感等がなく、滑らかな操作を行うことができるという作用を有する。
【００１７】
請求項３に記載の発明は、略板状の固定体と、この固定体上面に所定方向へ移動可能に装着された可動体の間に、請求項１記載のばねユニットの、固定部材と可動部材端部の係止部を装着して開閉装置を構成したものであり、所望の操作力が得易く、確実な開閉操作が可能な開閉装置を得ることができるという作用を有する。
【発明の効果】
【００１８】
以上のように本発明によれば、所望の操作力が得易く、確実な開閉操作が可能なばねユニット及びこれを用いた開閉装置を実現することができるという有利な効果が得られる。
【発明を実施するための最良の形態】
【００１９】
以下、本発明の実施の形態について、図１〜図５を用いて説明する。
【００２０】
なお、背景技術の項で説明した構成と同一構成の部分には同一符号を付して、詳細な説明を簡略化する。
【００２１】
（実施の形態）
図１は本発明の一実施の形態による開閉装置の分解斜視図、図２（ａ）は同ばねユニットの斜視図、図２（ｂ）は同ばねユニットの分解斜視図であり、同図において、１１は略Ｔ字状で銅合金や鋼板等の固定部材、１２は同じく略逆Ｔ字状の可動部材で、可動部材１２が固定部材１１上面に左右方向へ移動可能に載置されている。
【００２２】
そして、固定部材１１の中央部１１Ａには下方に窪んだ溝状の凹部１１Ｂが、両側方の略Ｌ字状の側方部１１Ｃには上方に膨らんだ凸部１１Ｄが各々形成されると共に、左端部には係止孔部１１Ｅが設けられている。
【００２３】
さらに、可動部材１２の中央部１２Ａには上方に膨らんだ凸部１２Ｂが、両側方の略Ｌ字状の側方部１２Ｃには下方に窪んだ溝状の凹部１２Ｄが各々形成されると共に、右端部には係止孔部１２Ｅが設けられている。
【００２４】
また、１３は鋼線や銅合金線等のコイルばねで、中間部がコイル状に巻回されると共に、両端には上下に折曲された鉤部１３Ａと１３Ｂが設けられている。
【００２５】
そして、この三つずつのコイルばね１３が、全体がやや引っ張られた状態で、右端の鉤部１３Ａが固定部材１１両側方の側方部１１Ｃ右端に、左端の鉤部１３Ｂが可動部材１２両側方の側方部１２Ｃ左端に、各々対称に装着され、合わせて六つのコイルばね１３によって、固定部材１１に対して可動部材１２が引っ張り方向へ付勢されて、ばねユニット１４が構成されている。
【００２６】
また、１５は両側端が折曲された略板状で銅合金や鋼板等の固定体、１６は同じく可動体で、可動体１６が固定体１５上面に左右方向へ移動可能に装着されている。
【００２７】
そして、４Ａと４Ｂはかしめ等によって可動体１６と固定体１５に固着された複数のピンで、このピン４Ａと４Ｂによってばねユニット１４両端の、可動部材１２の係止孔部１２Ｅと固定部材１１の係止孔部１１Ｅが、可動体１６と固定体１５に回転可能に装着され、ばねユニット１４によって固定体１５に対し可動体１６が左または右方向へ付勢されて、開閉装置１７が構成されている。
【００２８】
また、このように構成された開閉装置１７は、例えば、図５の携帯電話の斜視図に示すように、固定体１５が上面に複数のキーからなる操作部２２Ａやマイクロフォン等の音声入力部２２Ｂが形成された固定筐体２２へ、可動体１６が上面に液晶表示素子等の表示部２３Ａやスピーカ等の音声出力部２３Ｂが形成された可動筐体２３へ各々装着され、開閉装置１７によって固定筐体２２に対して可動筐体２３が左右方向へ移動可能に保持されて電子機器が構成される。
【００２９】
以上の構成において、図３（ａ）の平面図に示すように、固定体１５に対して可動体１６が右方向へ移動した状態では、ばねユニット１４の可動部材１２が両側方に対称に装着されたコイルばね１３によって、固定部材１１に対して引っ張り方向へ付勢されているため、固定体１５に対して可動体１６が右方向へ付勢され、可動体１６が装着された可動筐体２３も固定筐体２２に対して右方向へ付勢されて、可動筐体２３が固定筐体２２上に重なった状態、即ち閉じた状態で保持されている。
【００３０】
また、この閉状態から、可動筐体２３を手で左方向へ摺動すると、この操作に伴って図３（ｂ）に示すように、可動筐体２３に装着された可動体１６が左方向へ移動して、ばねユニット１４も固定体１５に装着された係止孔部１１Ｅを支点として左方向へ回転し、可動体１６に装着された係止孔部１２Ｅが左方向へ移動して、両側方のコイルばね１３が最も引っ張られた状態となる。
【００３１】
そして、この係止孔部１２Ｅが係止孔部１１Ｅを超える位置になると、ばねユニット１４のコイルばね１３の付勢方向が反転して、図３（ｃ）に示すように、固定体１５に対して可動体１６が左方向へ付勢され、可動筐体２３が左方向へ移動して、図５に示すような、音声入力部２２Ｂや音声出力部２３Ｂが露出し通話等が可能な、可動筐体２３が開いた状態で保持される。
【００３２】
つまり、可動筐体２３に装着された可動体１６を手で左または右方向へ移動させ、ばねユニット１４の両側方に装着された複数のコイルばね１３の力によって、可動体１６を左または右方向へ付勢することで、固定筐体２２に対する可動筐体２３の開閉操作が行われるように構成されている。
【００３３】
なお、この時、可動体１６を左または右方向へ付勢するばねユニット１４には、複数のコイルばね１３が用いられているため、コイルばね１３の線径や巻数、形状等を変えることによって、比較的容易にばね荷重を変化させ、ばねユニット１４による所望の開閉操作力が得易いようになっている。
【００３４】
さらに、固定部材１１と可動部材１２の両側方に対称に装着された複数のコイルばね１３に、ばね荷重の異なるものを組み合わせて用いれば、より細かにばねユニット１４の付勢力を変化させることも可能な構成となっている。
【００３５】
また、ばねユニット１４の固定部材１１と可動部材１２の摺動面に、凹部１１Ｂや凸部１２Ｂ、凸部１１Ｄや凹部１２Ｄを形成することによって、固定部材１１と可動部材１２間の摺動面積を少なくすることができるため、引掛り感等がなく、滑らかな操作を行うことができるようになっている。
【００３６】
さらに、この凹部１１Ｂや１２Ｄ、凸部１２Ｂや１１Ｄを、板材を窪ませたり膨らませたりして形成することによって、固定部材１１や可動部材１２に薄い板材を用いた場合でも、プレス加工時の加工硬化により一定の強度を確保し、変形や破損を防ぐことが可能なようになっている。
【００３７】
このように本実施の形態によれば、固定部材１１上面に所定方向へ摺動可能に載置された可動部材１２と固定部材１１の両側方に、可動部材１２を所定方向へ付勢する複数のコイルばね１３を、対称に装着してばねユニット１４を構成すると共に、このばねユニット１４両端の係止孔部１１Ｅと１２Ｅを、固定体１５と可動体１６の間に装着して開閉装置１７を構成することによって、所望の操作力が得易く、確実な開閉操作が可能なばねユニット及びこれを用いた開閉装置を得ることができるものである。
【００３８】
また、固定部材１１や可動部材１２の摺動面に、凹部１１Ｂや１２Ｄ、凸部１２Ｂや１１Ｄを設けることによって、固定部材１１と可動部材１２間の摺動面積を少なくすることができるため、引掛り感等がなく、滑らかで良好な操作力を得ることができる。
【００３９】
なお、以上の説明では、ばねユニット１４に金属板製の固定部材１１や可動部材１２を用いた構成について説明したが、図４（ａ）の斜視図や図４（ｂ）の分解斜視図に示すように、固定部材１８や可動部材１９にポリブチレンテレフタレートやＡＢＳ等の絶縁樹脂製のものを用い、これらの摺動面に凹部１８Ａ等を設けると共に、両側方に複数のコイルばね１３を対称に装着した構成としても、本発明の実施は可能である。
【００４０】
また、以上の説明では、ばねユニット１４両側方のコイルばね１３に引っ張りによってばね荷重を生じる、所謂引っ張りコイルばねを用いた構成について説明したが、これとは逆に圧縮によって荷重が生じる圧縮コイルばねを、固定部材１１と可動部材１２の間に装着した構成としても実施は可能である。
【産業上の利用可能性】
【００４１】
本発明によるばねユニット及びこれを用いた開閉装置は、所望の操作力が得易く、確実な開閉操作が可能なものを得ることができ、各種電子機器の開閉装置として有用である。
【図面の簡単な説明】
【００４２】
【図１】本発明の一実施の形態による開閉装置の分解斜視図
【図２】同ばねユニットの斜視図と分解斜視図
【図３】同開閉装置の平面図
【図４】同他の実施の形態によるばねユニットの斜視図と分解斜視図
【図５】携帯電話の斜視図
【図６】従来の開閉装置の分解斜視図
【符号の説明】
【００４３】
４Ａ、４Ｂ  ピン
１１、１８  固定部材
１２、１９  可動部材
１１Ａ、１２Ａ  中央部
１１Ｂ、１２Ｄ、１８Ａ  凹部
１１Ｃ、１２Ｃ  側方部
１１Ｄ、１２Ｂ  凸部
１１Ｅ、１２Ｅ  係止孔部
１３  コイルばね
１３Ａ、１３Ｂ  鉤部
１４  ばねユニット
１５  固定体
１６  可動体
１７  開閉装置
２２  固定筐体
２２Ａ  操作部
２２Ｂ  音声入力部
２３  可動筐体
２３Ａ  表示部
２３Ｂ  音声出力部
【図１】
2008014408.tif 000003
【図２】
2008014408.tif 000004
【図３】
2008014408.tif 000005
【図４】
2008014408.tif 000006
【図５】
2008014408.tif 000007
【図６】
2008014408.tif 000008